(57)【特許請求の範囲】
【請求項１】
上部が開口部とされ物品を収容可能なケース本体と、前記開口部を開閉可能な開閉手段とを備える収容什器であって、
前記開閉手段は、
後方に配設された後側扉と、
該後側扉の前方に配設されるとともに前後方向にスライド可能とされた前側扉と、
前記ケース本体の上部で該後側扉を上方に回動可能に軸支する第一回動軸と、
前記前側扉を前記後方にスライドして前記後側扉に対して上下方向に重合させた状態において、前記前側扉及び前記後側扉を一体に保持する保持機構とを備え、
前記前側扉の後部及び後側扉の前部には、衝撃力を吸収する緩衝部が設けられていることを特徴とする収容什器。
【請求項２】
請求項１に記載の収容什器において、
前記保持機構は、
前記後側扉に設けられ、前記前側扉の後部を保持可能な後側保持部を有することを特徴とする収容什器。
【請求項３】
請求項１または請求項２に記載の収容什器において、
前記保持機構は、
前記前側扉に設けられ、前記後側扉の前部を保持可能な前側保持部を有することを特徴とする収容什器。
【請求項４】
請求項１から請求項３のいずれか一項に記載の収容什器において、
前記開閉手段は、
前記後側扉を上方に向けて回動するように付勢する付勢部を有することを特徴とする収容什器。
【請求項５】
請求項４に記載の収容什器において、
前記付勢部は、前記後側扉が前記開口部を閉塞する閉塞位置から、上方の所定位置まで回動した開放位置に向かうにしたがって次第に付勢力を大きくするように付勢することを特徴とする収容什器。
【請求項６】
請求項１から請求項５のいずれか一項に記載の収容什器において、
前記開閉手段は、
前記後側扉が上方の所定位置まで回動した開放位置で、該後側扉をロックするロック部を有することを特徴とする収容什器。
【請求項７】
請求項１から請求項６のいずれか一項に記載の収容什器において、
前記開閉手段は、
前記後側扉と前記前側扉とを重合させた状態で、左右方向の位置ずれを防止する位置ずれ防止機構を有することを特徴とする収容什器。
【請求項８】
請求項７に記載の収容什器において、
前記位置ずれ防止機構は、前記後側扉または前記前側扉の一方に設けられた係合部と、前記後側扉または前記前側扉の他方に設けられ前記係合部と係合可能な被係合部とを有することを特徴とする収容什器。
【請求項９】
請求項１から請求項８のいずれか一項に記載の収容什器において、
ケース本体の上部には、前記前側扉をスライド可能に支持する支持枠部が前記前後方向に向けて設けられていることを特徴とする収容什器。
【発明の詳細な説明】
【技術分野】
【０００１】
本発明は、物品を収容する収容什器に関するものである。
【背景技術】
【０００２】
一般に、スーパーマーケットやコンビニエンスストア等の店舗には、冷凍食品や生鮮食品等の物品を収容し陳列するため収容什器としてショーケースが設置されている。
ここで、ショーケースとしては、例えば上部が開口部とされた箱状部材と、該開口部を開閉する扉と、物品を保冷する冷凍庫とを備えているものが知られている。そして、買い物客が扉を開放することにより物品を取り出すことができるとともに、扉を閉塞した状態とすることによりショーケース内の冷却性能を向上させることができる。
【０００３】
このようなショーケースの扉としては、前方に配設された前扉と、該前扉の後方に配設された後扉と、前扉と後扉とを折り畳み可能に接続するヒンジと、後扉の後部を上下方向に回動可能とするローラとを備える構成が提案されている（下記特許文献１参照）。
このような扉では、ローラを中心に後扉の後部を上方に回動させるとともに、ヒンジを中心として前扉の裏面と後扉の裏面とを互いの裏面を対向させるように折り畳んで、開口部を開放した状態とすることができる。
【０００４】
また、他の構成のショーケースの扉としては、扉の後部に設けられたヒンジを中心として、該扉を上方に開放可能とされたものが提案されている（下記特許文献２参照）。
【０００５】
さらに、他の構成のショーケースの扉としては、前方に配設された前扉と、該前扉の後方に配設された後扉とを備え、前扉及び後扉はそれぞれ前後方向にスライド可能とされ両者が上下方向に重合可能なものが提案されている（下記特許文献３参照）。
【先行技術文献】
【特許文献】
【０００６】
【特許文献１】特許第２７７７４０５号公報
【特許文献２】特開２００６−３０８１９４号公報
【特許文献３】特開２００９−１７９６５号公報
【発明の概要】
【発明が解決しようとする課題】
【０００７】
ここで、ショーケース等の収容什器に物品を陳列する際には開口部の全てが開放された状態で作業することが効率的であり、買い物客がショーケースから物品を取り出す際には開口部の一部のみが開放された状態とすることがショーケース内の温度管理上好都合である。
【０００８】
しかしながら、上記の特許文献１に記載の扉では、前扉と後扉とを折り畳まれた状態で開口部は開放され、上記の特許文献２に記載の扉ではヒンジを介して扉が上方に回動された状態で開口部は開放される。よって、開口部の全てが開放された形態をとることはできるものの、開口部の一部だけが開放された形態をとることはできない。
【０００９】
一方、上記の特許文献３に記載の扉では、前扉と後扉とが重合された状態で開口部の一部が開放された形態をとることはできるものの、開口部の全部が開放された形態をとることができない。
【００１０】
本発明は、上記事情に鑑みてなされたものであり、開口部の全部が開放された状態と、開口部の一部だけが開放された状態との選択が可能な収容什器を提供するものである。
【課題を解決するための手段】
【００１１】
上記目的を達成するために、本発明は以下の手段を採用している。
すなわち、本発明に係る収容什器は、上部が開口部とされ物品を収容可能なケース本体と、前記開口部を開閉可能な開閉手段とを備える収容什器であって、前記開閉手段は、後方に配設された後側扉と、該後側扉の前方に配設されるとともに前後方向にスライド可能とされた前側扉と、前記ケース本体の上部で該後側扉を上方に回動可能に軸支する第一回動軸と、前記前側扉を前記後方にスライドして前記後側扉に対して上下方向に重合させた状態において、前記前側扉及び前記後側扉を一体に保持する保持機構とを備え、前記前側扉の後部及び後側扉の前部には、衝撃力を吸収する緩衝部が設けられていることを特徴とする。
【００１２】
このように構成された収容什器では、保持機構により前側扉が後側扉と一体とされ、第一回動軸を中心として後側扉を上方回動すれば、開口部の全部が開放された状態とすることができる。また、前側扉をスライドして後側扉に重合すれば、開口部の前方が開放された状態することができる。よって、開口部が閉塞された状態、開口部の全部が開放された状態及び開口部の一部だけが開放された状態との選択が可能である。
また、後側扉と前側扉とは接合部材等で接合されていないため、外観上の見栄えを良好とすることができる。
また、後側扉と前側扉とを重合させた状態において、緩衝部により前側扉の後部及び後側扉の前部に作用する衝撃力を抑えることができる。
【００１３】
また、本発明に係る収容什器は、前記保持機構は、前記後側扉に設けられ、前記前側扉の後部を保持可能な後側保持部を有することが好ましい。
【００１４】
このように構成された収容什器では、後側保持部により前側扉の後部を保持することができるため、開口部の全部が開放された状態を維持することができるとともに、開口部の一部だけが開放された状態をも維持することができる。
【００１５】
また、本発明に係る収容什器は、前記保持機構は、前記前側扉に設けられ、前記後側扉の前部を保持可能な前側保持部を有していてもよい。
【００１６】
このように構成された収容什器では、前側保持部により後側扉の前部を保持することができるため、開口部の全部が開放された状態を維持することができるとともに、開口部の一部だけが開放された状態をも維持することができる。
【００１９】
また、本発明に係る収容什器は、前記開閉手段は、前記後側扉を上方に向けて回動するように付勢する付勢部を有していてもよい。
【００２０】
このように構成された収容什器では、付勢部により、後側扉を容易に上方に回動させることができる。
【００２１】
また、本発明に係る収容什器は、前記付勢部は、前記後側扉が前記開口部を閉塞する閉塞位置から、上方の所定位置まで回動した開放位置に向かうにしたがって次第に付勢力を大きくするように付勢していてもよい。
【００２２】
このように構成された収容什器では、開口部が閉塞された状態から小さな操作力で後側扉を上方に回動させることができる。
【００２３】
また、本発明に係る収容什器は、前記開閉手段は、前記後側扉が上方の所定位置まで回動した開放位置で、該後側扉をロックするロック部を有していてもよい。
【００２４】
このように構成された収容什器では、ロック部により開口部の全部が開放された状態を確実に維持させることができる。
【００２５】
また、本発明に係る収容什器は、前記開閉手段は、前記後側扉と前記前側扉とを重合させた状態で、左右方向の位置ずれを防止する位置ずれ防止機構を有していてもよい。
【００２６】
このように構成された収容什器では、位置ずれ防止機構により、後側扉と前側扉とを左右方向に揃えて重合させることができるため、納まりを向上させることができるとともに、外観を向上させることができる。
【００２７】
また、本発明に係る収容什器は、前記位置ずれ防止機構は、前記後側扉または前記前側扉の一方に設けられた係合部と、前記後側扉または前記前側扉の他方に設けられ前記係合部と係合可能な被係合部とを有していてもよい。
【００２８】
このように構成された収容什器では、係合部と被係合部とを係合させることで、後側扉と前側扉とを左右方向に揃えて重合させることができるため、納まりを向上させることができるとともに、外観を向上させることができる。
【００２９】
また、本発明に係る収容什器は、ケース本体の上部には、前記前側扉をスライド可能に支持する支持枠部が前記前後方向に設けられていてもよい。
【００３０】
このように構成された収容什器では、支持枠部はケース本体に設けられているため、開閉手段はコンパクトな構成でありながらも、前側扉を確実に前後方向にスライドさせることができる。
【発明の効果】
【００３１】
本発明に係る収容什器によれば、保持機構により前側扉が後側扉と一体とされ、第一回動軸を中心として後側扉を上方回動すれば、開口部の全部が開放された状態とすることができ、前側扉をスライドして後側扉に重合すれば、開口部の前方が開放された状態することができる。よって、開口部を全部開放した状態、一部だけ開放した状態の選択することができる。
【図面の簡単な説明】
【００３２】
【図１】本発明の一実施形態に係るショーケースの外観図である。
【図２】本発明の一実施形態に係るショーケースにおいて、開口部が閉塞された状態の断面図である。
【図３】本発明の一実施形態に係るショーケースにおいて、後側扉と前が扉とが重合されて開口部の一部が開放された状態の断面図である。
【図４】本発明の一実施形態に係るショーケースにおいて、開口部の前部が開放された状態の断面図である。
【図５】図１のＳ部の拡大図である。
【図６】図３のＴ部の拡大図である。
【図７】本発明の一実施形態に係るショーケースにおいて、前側扉の前部及び後側扉の前部を示す斜視図である。
【図８】図２のＵ部の拡大図である。
【図９】図３のＶ部の拡大図である。
【図１０】図４のＷ部の拡大図である。
【図１１】図６の要部を模式的に表した図である。
【図１２】本発明の一実施形態に係るショーケースにおいて、後側扉が開口部を閉塞した状態から上方に回動した状態における要部を模式的に表した図である。
【図１３】図１０の要部を模式的に表した図である。
【図１４】本発明の一実施形態に係るショーケースにおけるロック部の要部を模式的に表した図である。
【発明を実施するための形態】
【００３３】
以下、本発明の一実施形態に係る収容什器として、ショーケースを例に挙げて説明する。
図１及び図２に示すように、ショーケース１は、例えばスーパーマーケットやコンビニエンスストア等の店舗に設置され、冷凍食品や生鮮食品等の物品を陳列するために使用されるものである。
【００３４】
なお、便宜上、店舗においてショーケース１の前に買い物客が立つ側（図２に示す紙面左側及び右側）を前側と称し、その反対側（図２の紙面左右方向中央側）を後側と称する。また、前後方向と直交する水平方向（図２に示す紙面の奥行き方向）を左右方向と称する。
【００３５】
ここで、ショーケース１は後側の鉛直線Ｘを中心として対称に構成されているため、以下同一の部材については図２の紙面左側の構成について説明し、図２の紙面右側の構成は同様であるため同一の符号を付して説明を省略する。
【００３６】
（ショーケース）
ショーケース１は、上部が開口部２Ａとされ物品を収容可能なケース本体２と、該開口部２Ａを開閉可能な開閉手段３とを備えている。この開閉手段３により、ショーケース１は図２に示す開口部２Ａの前後方向の全てが閉塞された状態（以下、第一状態と称する。）、図３に示す開口部２Ａの前部が開放された状態（以下、第二状態と称する。）又は図４に示す開口部２Ａの前後方向の全てが開放された状態（以下、第三状態と称する。）のいずれかの状態とされている。
【００３７】
（ケース本体）
図２に示すように、ケース本体２は、上部が開口部２Ａとして開口した箱状の外ケース部１０と、該外ケース部１０の内部に設けられ箱状の内ケース部２０と、外ケース部１０の下部から立設する支柱３１とを有している。
【００３８】
図１に示すように、外ケース部１０は、底部をなす外底部１１と、該外底部１１から上方に向かって延出して周囲を囲む外側壁部１２とを有している。
【００３９】
外側壁部１２は、外底部１１の前部から立設する外前パネル１３と、該外前パネル１３と直交して左右方向に延在する一対の外左右パネル１４とを有している。また、外前パネル１３と外左右パネル１４との接続部分には、上下方向に延在する外柱１５が設けられている。
【００４０】
外前パネル１３は正面視略矩形状に形成され、外左右パネル１４の上部は後方に向かうにしたがって上下方向の高さが大きくなるようにアーチ状に形成されている。
【００４１】
外前パネル１３の上部には、詳細については後述する開閉手段３をスライド可能に支持する前後方向に延在する支持枠部４０が左右方向に離間して複数設けられている。
【００４２】
図５に示すように、支持枠部４０は、底部をなす枠底部４７と、該枠底部４７から立設する第一枠立設部４１と、該第一枠立設部４１の上部から左右方向に延出する第一枠段部４２と、該第一枠段部４２の端部から立設する第二枠立設部４３と、該第二枠立設部４３の上部から左右方向に延出する第二枠段部４４と、該第二枠段部４４の端部から立設する第三枠立設部４５と、該第三枠立設部４５の上部から左右方向に延出する第三枠段部４６とを有している。
【００４３】
図２に示すように、内ケース部２０は、底部をなす内底部２１と、該内底部２１から立設する内側壁部２２とを有しており、この内底部２１は物品が陳列可能とされている。
【００４４】
内側壁部２２は、内底部２１の前部から立設する内前パネル２３と、内底部２１の後部から立設する内後パネル２４とを有している。
また、一対の内後パネル２４の間は冷気が吹出される吹出通風路５１として構成され、吹出通風路５１の上部がケース本体２内部に冷気を吹出す吹出口５２とされている。
【００４５】
また、内前パネル２３と外前パネル１３との間はケース本体２内部の空気が吸引される吸引通風路５３として構成され、吸引通風路５３の上部がケース本体２内部の空気を取り込む吸引口５４とされ、内底部２１と外底部１１との間にはファン５５及び蒸発器５６が設けられている。
【００４６】
このようにして、吸引口５４から吸引された空気は吸引通風路５３を通りファン５５を介して蒸発器５６に導入される。そして、蒸発器５６で熱交換されて低温の冷気となり吹出通風路５１を通り吹出口５２から吹出される。ここで、開口部２Ａを閉塞するように後部から前部に向かう流れのエアカーテン５７が形成される。
【００４７】
このエアカーテン５７により、内ケース部２０で囲まれた空間の内部は一定の低温状態とされ、内底部２１に陳列された物品を冷蔵または冷凍した状態とすることが可能となる。
【００４８】
図１及び図２に示すように、支柱３１は、外底部１１から複数立設しており、その下端が外底部１１に固定されるとともに上端が支持枠部４０に固定されている。また、これら複数の支柱３１は、左右方向に延在する連結部材３２で連結されている。
【００４９】
（開閉手段）
図１及び図６に示すように、開閉手段３は、後方に配設された後側扉４と、該後側扉４の前方に配設された前側扉５と、第二状態及び第三状態で前側扉５と後側扉４とを一体として保持する保持機構６と、後側扉４を上方に回動可能に軸支する第一回動軸７とを有している。
【００５０】
さらに、開閉手段３は、後側扉４を上方に向けて回動するように付勢する付勢部８と、第三状態で後扉をロックするロック部９と、第二状態及び第三状態で前側扉５と後側扉４と左右方向に位置ずれを防止する位置ずれ防止機構１９とを有している。
【００５１】
（後側扉）
図１に示すように、後側扉４は、平面視略矩形状に形成され、本実施形態では左右方向に三枚配設されている。また、図５に示すように、第一状態及び前側扉５が後側扉４と上下方向に重合された第二状態において、後側扉４の下部は支持枠部４０の第三枠段部４６上に配設されている。
【００５２】
図６に示すように、後側扉４の後部には、端部を覆う断面視コ字状であって例えば弾性材料で形成された第一被覆部６１が設けられている。また、第一被覆部６１の外縁には、該第一被覆部６１を介して後側扉４を挟持する挟持部材６２が設けられている。
【００５３】
挟持部材６２は、第一被覆部６１の上側に配設された上側挟持部７０と、第一被覆部６１の下側に配設された下側挟持部８０とを有している。
【００５４】
上側挟持部７０は、上面が湾曲して形成され後側扉４を下側挟持部８０とともに挟持する上側挟持本体７１と、該上側挟持本体７１の下部から下方に向かって突出し下側挟持部８０と係合する上側係合部７２と、挟持部材用ネジ８７を介して下側挟持部８０と固定される上側固定部７３とを有している。
【００５５】
この上側挟持本体７１の前部の下面には、複数の溝７１Ａが形成されている。また、上側挟持本体７１の後部には、後方に向かって突出する挟持突出部７１Ｂが形成されている。
【００５６】
第一状態及び第二状態において、一対の挟持突出部７１Ｂが開口部２Ａの後方を閉塞するように配設されていることで、ケース本体２内の冷気が外部に放出されることが防止されている。
【００５７】
下側挟持部８０は、第一被覆部６１の下側に配設され後側扉４を上側挟持部７０とともに挟持する下側挟持本体８１と、該下側挟持本体８１の上部から上方に向かって張り出している下側張出し部８２と、該下側張出し部８２の前部から前方に向かって突出し上側係合部７２と係合する下側係合部８３と、挟持部材用ネジ８７を介して上側固定部７３と固定される下側固定部８４とを有している。
この下側挟持本体８１の前部の上面には、複数の溝８１Ａが形成されている。
【００５８】
上側固定部７３及び下側固定部８４にはそれぞれネジ穴７８，８８が設けられ、該ネジ穴７８，８８には挟持部材用ネジ８７が螺合されている。当該挟持部材用ネジ８７の螺合により、後側扉４は互いに引き寄せられた上側挟持部７０及び下側挟持部８０により挟持されて、該上側挟持部７０及び下側挟持部８０に固定されている。
【００５９】
この状態において、上側挟持本体７１及び下側挟持本体８１は、弾性材料で形成された第一被覆部６１に食い込むようにして上下方向から互いに押圧して、後側扉４を確実に保持している。
【００６０】
また、挟持部材６２の下側挟持部８０は、下側張出し部８２において詳細について後述する保持機構６と固定用ネジ８９で螺合されている。これにより、後側扉４は挟持部材６２を介してケース本体２に固定されている。
【００６１】
図７に示すように、後側扉４の前部には、前部の端部を覆うとともに衝撃力を吸収する第一緩衝部９０（緩衝部）が設けられている。
【００６２】
第一緩衝部９０は、後側扉４の上側に配設された上側緩衝部９１と、後側扉４の前側に配設された前側緩衝部９２と、後側扉４の下側に配設された下側緩衝部９３と、前側緩衝部９２から前方に向かって突出し左右方向に延在する前側緩衝凸条９４と、下側緩衝部９３から下方に向かって突出し左右方向に延在する下側緩衝凸条９５とを有している。
【００６３】
（前側扉）
図１に示すように、前側扉５は、平面視略矩形状に形成され、本実施形態では左右方向に三枚配設されている。また、図８及び図９に示すように、第一状態及び第二状態において、前側扉５の下部は支持枠部４０の第二枠段部４４上に配設され、前後方向に摺動可能とされている。
図６に示すように、前側扉５の後部には、端部を覆うとともに衝撃力を吸収する第二緩衝部１００（緩衝部）が設けられている。
【００６４】
第二緩衝部１００は、断面視コ字状であって前側扉５の後部を覆う第二被覆部１０１と、該第二被覆部１０１に形成された凹条の被覆凹条１０３と嵌合されるとともに後方に向かって突出し断面視半円状に形成された第二緩衝本体１０２とを有している。
また、図７に示すように、前側扉５の前部には、後側扉４と同様に第一緩衝部９０が設けられている。
【００６５】
（保持機構）
図７及び図１０に示すように、保持機構６は、後側扉４に設けられ前側扉５の後部を保持可能な後側保持部１１０と、前側扉５に設けられ後側扉４の前部を保持可能な前側保持部１２０とを有している。
【００６６】
後側保持部１１０は、前側扉５の上側を保持する後上側保持部１１１と、前側扉５の後側を保持する後端保持部１１２と、前側扉５の下側を保持する後下側保持部１１３とにより断面視コ字状に形成されている。
【００６７】
この後上側保持部１１１が後側扉４に設けられた下側張出し部８２に固定用ネジ８９で螺合されることにより、後側保持部１１０は挟持部材６２を介して後側扉４に固定されている。これにより、第二状態及び第三状態において、後上側保持部１１１、後端保持部１１２及び後下側保持部１１３で前側扉５の後部を保持している。
【００６８】
また、後端保持部１１２には、第一回動軸７が挿通される第一挿通孔１１４が左右方向に穿設されている。
【００６９】
図７及び図９に示すように、前側保持部１２０は、後側扉４の上側を保持する前上側保持部１２１と、後側扉４の前側を保持する前端保持部１２２と、後側扉４の下側を保持する前下側保持部１２３とを有している。
【００７０】
前上側保持部１２１の下面には下方に向かって突出する凸部である保持凸部１２４が設けられ、前下側保持部１２３の上面には左右方向に向かって延在し上方に向かって突出する保持凸条１２５が設けられている。
【００７１】
ここで、第二状態及び第三状態において、前側保持部１２０の保持凸部１２４が後側扉４に設けられた上側緩衝部９１の後端と係合し、前側保持部１２０の保持凸条１２５が後側扉４に設けられた下側緩衝凸条９５と係合している。これにより、後側扉４は、前側扉５に対して相対的に前後方向への移動が規制された状態として、前上側保持部１２１、前端保持部１２２及び前下側保持部１２３に保持されている。
【００７２】
（第一回動軸）
図１０に示すように、第一回動軸７は、左右方向に延在し後側保持部１１０に穿設された第一挿通孔１１４に挿通されるとともに、端部が支持枠部４０の上部に設けられた軸固定部４８（図５参照）に回動可能に固定されている。
【００７３】
上記のように、第一回動軸７は支持枠部４０に固定され、該第一回動軸７が挿通された後側保持部１１０は固定用ネジ８９で後側扉４に固定されている。これにより、第二状態から、第一回動軸７を中心として後側保持部１１０を介して一体とされた後側扉４及び前側扉５が上方に回動して第三状態となるまで、回動可能とされている。
【００７４】
（付勢部）
図６に示すように、付勢部８は、支柱３１に設けられた第一アーム部１３０と、該第一アーム部１３０の内部に配設された付勢本体１４０と、第一アーム部１３０と接続された第二アーム部１５０とを有している。
【００７５】
第一アーム部１３０は、支柱３１に設けられた支柱固定部３３に第一アーム用ネジ１３９で螺合された第一アーム取付部１３１と、該第一アーム取付部１３１に設けられた第二回動軸１３２と、該第二回動軸１３２から延出する第一アーム本体１３３と、該第一アーム本体１３３に設けられた第三回動軸１３４とを有している。
第一アーム本体１３３は、第二回動軸１３２を介して支柱３１に対して回動可能とされている。
【００７６】
付勢本体１４０は、第一アーム本体１３３の内部に配設され圧縮バネで構成されたバネ部１４１と、該バネ部１４１と第二回動軸１３２との間に配設された第一スペーサー１４２と、該バネ部１４１と第三回動軸１３４との間に配設された第二スペーサー１４３とを有している。
【００７７】
バネ部１４１は、第一スペーサー１４２を第二回動軸１３２側に付勢するとともに、第二スペーサー１４３を第三回動軸１３４側に付勢している。すなわち、バネ部１４１は第二アーム部１５０を第二回動軸１３２から第三回動軸１３４に向かう方向に付勢するとともに、該付勢部８と後側保持部１１０を介して固定された後側扉４を上方に向けて回動するように付勢している。
【００７８】
第二アーム部１５０は、第一状態及び図６に示す第二状態において第二スペーサー１４３と当接する部分であって第二スペーサー１４３に向けて凸となるような円弧状に形成された円弧部１５１と、図１０に示す第三状態において第二スペーサー１４３と当接する部分であって平面状に形成された平面部１５２と、第三回動軸１３４から延出する第二アーム本体１５３と、該第二アーム本体１５３に設けられた第四回動軸１５４と、該第四回動軸１５４を介して後側保持部１１０に固定された第二取付プレート１５５とを有している。平面部１５２は、第三状態において、第三回動軸１３４と、第二回動軸１３２とを結ぶ直線Ｙと垂直となるような平面に形成されている。
【００７９】
第二アーム本体１５３は第三回動軸１３４を介して第一アーム本体１３３に対して回動可能とされ、第二取付プレート１５５は第四回動軸１５４を介して第二アーム本体１５３に対して回動可能とされている。
【００８０】
第一状態及び図１１に示す第二状態では、第二アーム部１５０の円弧部１５１は、第二スペーサー１４３と作用点Ａで接触している。このため、第二アーム部１５０の円弧部１５１には、付勢部８のバネ部１４１による付勢力が作用点Ａで作用している。したがって、第二アーム部１５０には、第三回動軸１３４回りに、バネ部１４１による付勢力と、作用点Ａと直線Ｙとの離間距離によって定まるモーメントが、後側扉４及び前側扉５が上方へ回動する向きに作用している。なお、当該モーメントは、後側扉４及び前側扉５の自重により第三回動軸１３４回りに作用する後側扉４及び前側扉５を下方へと回動する向きに作用するモーメントよりも小さく設定されているため、後側扉４は第二状態を維持している。
【００８１】
次に、図１２に示すように、第二状態から、第一回動軸７を中心として後側扉４及び前側扉５が、第二状態と第三状態の間である中間状態まで回動すると、円弧部１５１は、第三回動軸１３４を中心として回動することで第二スペーサー１４３に対して直線Ｙから離間する方向に摺動することとなる。このため、第二アーム部１５０の円弧部１５１は、第二状態における作用点Ａよりも直線Ｙから離間した作用点Ｂで第二スペーサー１４３と接触することとなる。そして、第二アーム部１５０の円弧部１５１には、付勢部８のバネ部１４１による付勢力が作用点Ｂで作用している。したがって、第二アーム部１５０には、第三回動軸１３４回りに、バネ部１４１による付勢力と、作用点Ｂと直線Ｙとの離間距離によって定まるモーメントが、後側扉４及び前側扉５が上方へ回動する向きに作用している。
【００８２】
ここで、上記のとおり、中間状態では、第二状態における作用点Ａよりも直線Ｙから離間した作用点Ｂで、第二アーム部１５０の円弧部１５１には付勢部８のバネ部１４１による付勢力が作用することとなる。したがって、第二状態から中間状態まで後側扉４及び前側扉５が回動すると、付勢部８によって後側扉４を上方へと回動させようとするモーメントが次第に大きくなる。
【００８３】
次に、図１３に示すように、中間状態から第三状態まで後側扉４を回動させると、第二アーム部１５０において第二スペーサー１４３と接触する部位は、円弧部１５１から平面部１５２へと移行することとなる。そして、第三の状態においては、平面部１５２は、直線Ｙに垂直な平面であることから、第二スペーサー１４３と面で接触することとなる。これにより、第二アーム部１５０の平面部１５２には、付勢部８のバネ部１４１による付勢力が第三回動軸１３４を通る直線Ｙ上で作用している。したがって、第二アーム部１５０には、バネ部１４１による付勢力が作用するものの、第三回動軸１３４回りに当該付勢力によるモーメントは作用しないこととなる。
【００８４】
すなわち、付勢部８は、後側扉４が開口部２Ａを閉塞した第二状態から、開口部２Ａを開放した開放位置まで上方に回動する際に、上方に回動させるモーメントを第二状態から中間状態まで次第に大きく作用させて後側扉４及び前側扉５の回動を容易とするとともに、後側扉４及び前側扉５の自重によるモーメントが小さくなる中間状態から第三状態までは、上方に回動させるモーメントを次第に小さく作用させるように設定されている。
【００８５】
（ロック部）
図１０に示すように、ロック部９は、支柱固定部３３に第一ロック用ネジ１６９で螺合された第一ロック用プレート１６１と、該第一ロック用プレートに１６１設けられた第一ロック用軸１６２と、該第一ロック用軸１６２から延出する第一ロック本体１６３と、該第一ロック本体１６３に設けられた第二ロック用軸１６４と、該第二ロック用軸１６４から延出する第二ロック本体１６５と、該第二ロック本体１６５に設けられた第三ロック用軸１６６と、後側保持部１１０に固定された第二ロック用プレート１６７とを有している。
【００８６】
第一ロック本体１６３は第一ロック用軸１６２を介して支柱３１に対して回動可能とされ、第二ロック本体１６５は第二ロック用軸１６４を介して第一ロック本体１６３に対して回動可能とされ、第二ロック用プレート１６７は第三ロック用軸１６６を介して第二ロック本体１６５に対して回動可能とされている。
【００８７】
また、図１４に示すように、第二ロック本体１６５には板厚方向に貫通孔であるロック用孔１７１が穿設され、該ロック用孔１７１に球状のロック用球部１７２が配設されている。また、第二ロック本体１６５の表面には皿バネである第一皿バネ１７３が設けられ、該第一皿バネ１７３がロック用球部１７２を第一ロック本体１６３側に付勢している。
【００８８】
また、ロック部９が第一状態から第三状態の直前まで回動する際にロック用球部１７２が当接する第一ロック本体１６３の表面は平面とされ、第三状態でロック用球部１７２が当接する第一ロック本体１６３の表面には凹部であるロック用凹部１７４が設けられている。また、第三状態に対応する位置で、第一皿バネ１７３により付勢されたロック用球部１７２がロック用凹部１７４内に配設されている。
【００８９】
このように、第一状態から第三状態の直前までの状態では、ロック用球部１７２は第一ロック本体１６３の表面上を摺動可能とされている。また、第三状態では、ロック用球部１７２が第一ロック本体１６３に設けられたロック用凹部１７４内に配設されて移動が規制されることで、第二ロック本体１６５が第一ロック本体１６３に対して相対的に移動することが規制される。
【００９０】
これにより、第二ロック用プレート１６７は後側保持部１１０に固定され、前側扉５と後側扉４とは一体とされているため、該後側扉４及び前側扉５は上方への回動が規制されロックされる。
【００９１】
（位置ずれ防止機構）
図７に示すように、位置ずれ防止機構１９は、前側扉５に設けられた係合部１８１と、後側扉４に設けられ係合部１８１と係合可能な被係合部１８２とを有している。
【００９２】
係合部１８１は上記に示す前側保持部１２０に設けられた保持凸部１２４で構成され、被係合部１８２は上側緩衝部９１に形成された凹部で構成されている。
【００９３】
係合部１８１が被係合部１８２に係合されることで、後側扉４の前側扉５に対しての左右方向の相対移動が規制されるため、左右方向の位置ずれが防止される。
【００９４】
次に、上記のように構成されたショーケース１において、第一状態から第三状態までの開閉手段３の動作について説明する。
【００９５】
まず、第一状態から第二状態までの開閉手段３の動作について説明する。
第一状態では、前側扉５を支持枠部４０の第二枠段部４４に沿って後方にスライドさせ、前側扉５に設けられた保持凸部１２４と後側扉４に設けられた上側緩衝部９１の後端とが係合する位置まで前側扉５を後方にスライドさせる。
【００９６】
これにより、後側扉４の前部が前上側保持部１２１、前端保持部１２２及び前下側保持部１２３に保持されるとともに、後側扉４の後部が後上側保持部１１１、後端保持部１１２及び後下側保持部１１３に保持され、後側扉４と前側扉５とは一体とされる。
【００９７】
次に、第二状態から第三状態までの開閉手段３の動作について説明する。
第二状態で一体とされた後側扉４及び前側扉５を、第一回動軸７を中心として上方へ回動させる。
【００９８】
後側扉４及び前側扉５の上方への回動に伴い、第一回動軸７が挿通された後側保持部１１０及び該後側保持部１１０に固定された第二アーム部１５０の第二取付プレート１５５が上方に移動するとともに、第四回動軸１５４も上方に移動する。
【００９９】
これにより、第二アーム部１５０は第四回動軸１５４を中心として回動し、第三回動軸１３４に対して第四回動軸１５４が相対的に上方に位置するように回動する。また、当該回動に伴い、第三回動軸１３４も上方に移動するとともに、第一アーム部１３０は該第三回動軸１３４を中心として回動し、第二回動軸１３２に対して第三回動軸１３４が相対的に上方に位置するように回動する。
【０１００】
すなわち、図１１，１２及び１３に示すように、第一アーム部１３０は、第二アーム部１５０に対して相対的に時計回りに回動し、第二スペーサー１４３と第二アーム部１５０との当接する部分が円弧部１５１から平面部１５２に向かって移動するとともに、バネ部１４１は伸張する。
【０１０１】
このように、第三状態まで移動すれば、ロック部９のロック用球部１７２が第一ロック本体１６３に設けられたロック用凹部１７４内に配設され、後側扉４及び前側扉５の回動が規制される。
【０１０２】
次に、第三状態から第二状態までの開閉手段３の動作について説明する。
後側扉４及び前側扉５を、第一回動軸７を中心として下方へ回動させる。
【０１０３】
後側扉４及び前側扉５の下方への回動させようとする所定の力が作用すると、ロック部９のロック用球部１７２はロック用凹部１７４内部から外れて第一ロック本体１６３の表面を摺動する。
【０１０４】
これにより、第一回動軸７が挿通された後側保持部は１１０及び該後側保持部は１１０に固定された第二アーム部１５０の第二取付プレート１５５も下方に移動するとともに、第四回動軸１５４も下方に移動する。
【０１０５】
これにより、第二アーム部１５０は第四回動軸１５４を中心として回動し、第三回動軸１３４に対して第四回動軸１５４が相対的に下方に移動するように回動する。また、当該回動に伴い、第三回動軸１３４も下方に移動するとともに、第一アーム部１３０は該第三回動軸１３４を中心として回動し、第二回動軸１３２に対して第三回動軸１３４が相対的に下方に位置するように回動する。
【０１０６】
すなわち、図１１，１２及び１３に示すように、第一アーム部１３０は、第二アーム部１５０に対して相対的に反時計回りに回動し、第二スペーサー１４３と第二アーム部１５０との当接する部分が平面部１５２から円弧部１５１に向かって移動するとともに、バネ部１４１は収縮して第二状態となる。
【０１０７】
次に、第二状態から第一状態までの開閉手段３の動作について説明する。
第二状態から、前側扉５を前方に移動させようとする所定の力が作用すると、前側扉５に設けられた保持凸部１２４と後側扉４に設けられた上側緩衝部９１の後端との係合が解除され、前側扉５を支持枠部４０の第二枠段部４４に沿って前方にスライドさせることができ、開口部２Ａを閉塞させる第一状態となる。
【０１０８】
このように構成されたショーケース１では、開口部２Ａが後側扉４及び前側扉５で閉塞された第一状態から、前側扉５を支持枠部４０に沿ってスライドして後側扉４と上下方向に重合すれば、開口部２Ａの前方が開放された第二状態することができる。また、後側扉４及び前側扉５は後側保持部１１０及び前側保持部１２０で一体とされているため、第一回動軸７を中心として後側扉４を上方に回動すれば、開口部２Ａの全部が開放された第三状態とすることができる。よって、開口部２Ａの全部が閉塞された状態、開口部２Ａの一部だけが開放された状態又は開口部２Ａの全部が開放された状態のいずれかの選択が可能である。
【０１０９】
例えば、店舗が閉店中の夜間等には、開口部２Ａが閉塞された第一状態とすることで、ショーケース１内のエネルギー効率を向上させることができる。
また、ショーケース１内部に物品を陳列する際には、開口部２Ａが大きく開放された第三状態とすることで、陳列作業を効率的に行うことができる。
また、店舗が開店中で買い物客が大勢いる際には、開口部２Ａの前部が開放された第二状態とすることで、前方に配設された物品の取り出しができるとともに、開口部２Ａの後部が閉塞されているためエネルギー効率を向上させることができる。また、買い物客は、一体とされた後側扉４及び前側扉５を上方に回動することで、開口部２Ａが大きく開放された第三状態として後方に配設された物品の取出しが可能となる。
【０１１０】
また、前側扉５と後側扉４とは互いにヒンジ等の接合部材で接合されていないため、接合部材が露出して外観を低下させることはなく、什器としての外観を向上させることができる。
【０１１１】
また、後側扉４の前部には第一緩衝部９０が設けられ、前側扉５の後部には第二緩衝部１００が設けられている。よって、第二状態及び第三状態において、後側扉４の後部と後側保持部１１０との間に生じる衝撃力及び前側扉５の前部と前側保持部１２０との間に生じる衝撃力を抑えることができる。
【０１１２】
また、バネ部１４１が後側扉４を上方に向かって回動するように付勢しているため、第二状態から後側扉４及び前側扉５を上方に向かって容易に回動させることができる。
【０１１３】
また、ロック用球部１７２が第一ロック本体１６３に設けられたロック用凹部１７４内に配設されることにより開口部２Ａの全部が開放された第三状態を確実に維持させることができる。
【０１１４】
また、係合部１８１と被係合部１８２とを係合させることで、後側扉４と前側扉５とを左右方向に揃えて重合させることができるため、納まりを向上させることができるとともに、外観を向上させることができる。
【０１１５】
また、支持枠部４０はケース本体２に設けられているため、開閉手段３はコンパクトな構成でありながらも、前側扉５を支持枠部４０の第二枠段部４４に沿って確実に前後方向にスライドさせることができる。
【０１１６】
また、上述した実施の形態において示した動作手順、あるいは各構成部材の諸形状や組み合わせ等は一例であって、本発明の主旨から逸脱しない範囲において設計要求等に基づき種々変更可能である。
【０１１７】
例えば、位置ずれ防止機構１９を構成する係合部１８１が後側扉４に設けられ、被係合部１８２が前側扉５に設けられていてもよい。
【符号の説明】
【０１１８】
１…ショーケース（収容什器）
２…ケース本体
２Ａ…開口部
３…開閉手段
４…後側扉
５…前側扉
６…保持機構
７…第一回動軸
８…付勢部
９…ロック部
１９…位置ずれ防止機構
４０…支持枠部
９０…第一緩衝部（緩衝部）
１００…第二緩衝部（緩衝部）
１１０…後側保持部
１２０…前側保持部
１８１…係合部
１８２…被係合部
【図１】
0005993619.tif 000002
【図２】
0005993619.tif 000003
【図３】
0005993619.tif 000004
【図４】
0005993619.tif 000005
【図５】
0005993619.tif 000006
【図６】
0005993619.tif 000007
【図７】
0005993619.tif 000008
【図８】
0005993619.tif 000009
【図９】
0005993619.tif 000010
【図１０】
0005993619.tif 000011
【図１１】
0005993619.tif 000012
【図１２】
0005993619.tif 000013
【図１３】
0005993619.tif 000014
【図１４】
0005993619.tif 000015